【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
容器システムであって、
内部空間を画定する壁を有する密閉可能な容器と、
前記内部空間中の少なくとも１つのパウチと、を備え、前記パウチが、水溶性フィルムと、前記水溶性フィルムによって区画に少なくとも部分的に封入された家庭用ケア組成物とを含み、
前記家庭用ケア組成物が、前記家庭用ケア組成物の約０．１質量％〜約１０質量％の香料と、前記家庭用ケア組成物の約１質量％〜約５０質量％の有機溶媒とを含み、
前記フィルムが、少なくとも約５０質量％のポリビニルアルコール（ＰＶＯＨ）樹脂ブレンドを含み、
第１のＰＶＯＨポリマーが、前記フィルム中の全ＰＶＯＨポリマーの約６５質量％〜約９０質量％で存在し、第１のアニオン性モノマー単位と、ビニルアルコールモノマー単位と、任意で酢酸ビニル単位とを含み、
前記ＰＶＯＨ樹脂ブレンドが、約１０質量％〜約３５質量％で存在する第２のＰＶＯＨポリマーをさらに含み、前記第２のＰＶＯＨが、本質的にビニルアルコールモノマー単位と任意で酢酸ビニル単位とからなるＰＶＯＨホモポリマーを含み、
前記家庭用ケア組成物が、（ｉ）、（ｉｉ）、（ｉｉｉ）、または（ｉｖ）を含まない、容器システム：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料。
【請求項２】
前記第１のＰＶＯＨポリマーが、前記フィルム中の全ＰＶＯＨポリマーの約７０質量％〜約９０質量％で存在し、前記第２のＰＶＯＨポリマーが、約１０質量％〜約３０質量％で存在する、請求項１に記載の容器システム。
【請求項３】
前記第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、または前述のアルカリ金属塩、前述のエステル、及びこれらの組み合わせからなる群から選択されるメンバーから誘導される、請求項１に記載の容器システム。
【請求項４】
前記第１のアニオン性モノマー単位が、カルボキシル化アニオン性モノマー単位から誘導される、請求項３に記載の容器システム。
【請求項５】
前記第１のアニオン性モノマー単位が、マレイン酸、マレイン酸モノアルキル、マレイン酸ジアルキル、無水マレイン酸、及びこれらの組み合わせからなる群から選択されるメンバーから誘導される、請求項４に記載の容器システム。
【請求項６】
前記第１のアニオン性モノマー単位が、マレイン酸モノメチル、その塩、及びこれらの組み合わせからなる群から選択されるマレイン酸モノアルキルから誘導される、請求項５に記載の容器システム。
【請求項７】
前記第１のアニオン性モノマー単位が、前記第１のＰＶＯＨポリマー中に、前記第１のＰＶＯＨポリマーの約１．０モル％〜約５．０モル％、好ましくは約２モル％〜約４モル％の範囲の量で存在する、請求項１に記載の容器システム。
【請求項８】
前記第１のアニオン性モノマー単位が、前記フィルム中に、前記フィルム中の全ＰＶＯＨポリマーの約０．５モル％〜約５モル％の範囲の量で存在する、請求項１に記載の容器システム。
【請求項９】
前記第１のＰＶＯＨポリマーが、前記フィルム中の全ＰＶＯＨポリマーの約６５質量％〜約８０質量％の範囲の量で存在する、請求項１に記載の容器システム。
【請求項１０】
前記第２のＰＶＯＨポリマーが、前記フィルム中の全ＰＶＯＨポリマーの約２０質量％〜約４５質量％の範囲の量で存在する、請求項１に記載の容器システム。
【請求項１１】
前記第１のＰＶＯＨポリマーが、前記ＰＶＯＨブレンド中に、前記ブレンド中の全ＰＶＯＨポリマーの約６５質量％〜約９０質量％、または約６５質量％〜約８０質量％の範囲で存在し、
前記第１のＰＶＯＨポリマーの前記第１のアニオン性モノマー単位が、マレイン酸モノメチル、そのアルカリ金属塩、及びこれらの組み合わせからなる群から選択されるメンバーから誘導され、
前記ＰＶＯＨホモポリマーが、約１０ｃＰ〜約３０ｃＰの２０℃での４％溶液粘度（μ２）を特徴とし、前記ＰＶＯＨ樹脂ブレンド中に、前記ブレンド中の全ＰＶＯＨポリマーの約１０質量％〜約４５質量％、または約２０質量％〜約４５質量％の範囲で存在する、請求項１に記載の容器システム。
【請求項１２】
前記第２のＰＶＯＨポリマーが、約３．０〜約４０ｃＰ、または約７〜約４０ｃＰ、または約１０ｃＰ〜約４０ｃＰ、または約１０ｃＰ〜約３０ｃＰ、または約１２ｃＰ〜約２５ｃＰの２０℃での４％溶液粘度（μ２）を特徴とする、請求項１に記載の容器システム。
【請求項１３】
前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、請求項１に記載の容器システム。
【請求項１４】
前記第１のＰＶＯＨポリマーが、２０℃での第１の４％溶液粘度（μ１）を特徴とし、前記第２のＰＶＯＨポリマーが、２０℃での第２の４％溶液粘度（μ２）を特徴とし、前記第１のＰＶＯＨポリマー及び前記第２のＰＶＯＨポリマーについての絶対粘度差｜μ２−μ１｜が、０ｃｐ〜約１０ｃＰの範囲である、請求項１に記載の容器システム。
【請求項１５】
前記ＰＶＯＨ樹脂ブレンドが、前記水溶性フィルム中に、前記フィルムの約５０質量％〜約９５質量％の範囲の量で存在する、請求項１に記載の容器システム。
【請求項１６】
前記水溶性フィルムが、以下の特徴：
ａ）溶解チャンバー試験によって測定される約４８質量％以下の残留物値、
ｂ）引張強度試験によって測定される少なくとも約３３ＭＰａの平均引張強度値、及び／または
ｃ）モジュラス試験によって測定される少なくとも約１２Ｎ／ｍｍ2のモジュラス値のうちの少なくとも１つ、または少なくとも２つ、または３つすべてを有する、請求項１に記載の容器システム。
【請求項１７】
前記水溶性フィルムが、好ましくはＰＶＯＨポリマー以外のポリマーである、少なくとも第３の水溶性ポリマーをさらに含む、請求項１に記載の容器システム。
【請求項１８】
前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、請求項１７に記載の容器システム。
【請求項１９】
前記水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、請求項１に記載の容器システム。
【請求項２０】
前記水溶性フィルムが、１つ以上の可塑剤を、前記フィルムの約１質量％〜約４０質量％の範囲の量でさらに含む、請求項１に記載の容器システム。
【請求項２１】
前記パウチが、少なくとも２つの区画、または少なくとも３つの区画を含む、請求項１に記載の容器システム。
【請求項２２】
前記有機溶媒が、モノアルコール、ポリオール、グリコール、及びこれらの組み合わせからなる群から選択される、請求項１に記載の容器システム。
【請求項２３】
前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、請求項１に記載の容器システム。
【請求項２４】
前記有機溶媒が、全有機溶媒の少なくとも約１０質量％、または少なくとも約２０質量％の、２５０℃を超える沸点を有する有機溶媒を含み、前記香料が、全香料の少なくとも約１０質量％、または少なくとも約２０質量％、または少なくとも約３０質量％の、２５０℃未満の沸点を有する香料原材料を含む、請求項１に記載の容器システム。
【請求項２５】
前記有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、前記香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、請求項１に記載の容器システム。
【請求項２６】
前記フィルムが、少なくとも１つの可塑剤をさらに含み、前記有機溶媒のうちの少なくとも１つが、前記可塑剤（「共通溶媒／可塑剤」）と同じであり、好ましくは前記共通溶媒／可塑剤が、グリセロール、ソルビトール、ジプロピレングリコール、１，２−プロパンジオール、１，３−プロパンジオール、及びこれらの組み合わせから選択される、請求項１に記載の容器システム。
【請求項２７】
前記家庭用ケア組成物が、前記組成物の約５質量％〜約７０質量％の、界面活性剤を含む、請求項１に記載の容器システム。
【請求項２８】
前記家庭用ケア組成物が、布地ケア組成物である、請求項１に記載の容器システム。
【請求項２９】
前記密閉可能な容器が、再密閉可能である、請求項１に記載の容器システム。
【請求項３０】
前記密閉可能な容器が、軟性バッグ及び剛性タブから選択される、請求項１に記載の容器システム。
【請求項３１】
布地のような基材の処理方法であって、
請求項１に記載の容器システムを含む密閉容器を、開封するステップと、
前記容器の内部空間に収容されたパウチにアクセスするステップと、
前記水溶性フィルムの少なくとも一部分が溶解し、それによって前記家庭用ケア組成物の少なくとも一部分を放出させるように、前記パウチを水と組み合わせるステップと、
処理すべき基材を前記家庭用ケア組成物と接触させるステップとを含み、
前記家庭用ケア組成物が、（ｉ）、（ｉｉ）、（ｉｉｉ）、または（ｉｖ）を含まない、前記方法：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料。
【請求項３２】
容器システムであって、
内部空間を画定する壁を有する密閉可能な容器と、
前記内部空間中の少なくとも１つのパウチと、を備え、前記パウチが、水溶性フィルムと、前記水溶性フィルムによって区画に少なくとも部分的に封入された家庭用ケア組成物とを含み、
前記家庭用ケア組成物が、前記家庭用ケア組成物の約０．１質量％〜約１０質量％の香料と、前記家庭用ケア組成物の約１質量％〜約５０質量％の有機溶媒とを含み、
前記フィルムが、少なくとも５０質量％のポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが、第２のアニオン性モノマー単位と、ビニルアルコールモノマー単位と、任意で酢酸ビニル単位とを含む第２のＰＶＯＨポリマーをさらに含み、
前記家庭用ケア組成物が、（ｉ）、（ｉｉ）、（ｉｉｉ）、または（ｉｖ）を含まない、容器システム：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料。
【請求項３３】
布地のような基材の処理方法であって、
請求項３２に記載の容器システムを含む密閉容器を、開封するステップと、
前記容器の内部空間に収容されたパウチにアクセスするステップと、
前記水溶性フィルムの少なくとも一部分が溶解し、それによって前記家庭用ケア組成物の少なくとも一部分を放出させるように、前記パウチを水と組み合わせるステップと、
処理すべき基材を前記家庭用ケア組成物と接触させるステップと、を含む、方法。
【請求項３４】
香料と有機溶媒とを含む組成物を含有するのに適した、または経時的に前記香料を選択的に放出させるように適合された水溶性フィルムであって、
前記フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、フィルム。
【請求項３５】
前記第１のＰＶＯＨポリマーが、前記ＰＶＯＨブレンド中に、前記ブレンド中の全ＰＶＯＨポリマーの約５０質量％〜約９０質量％の範囲で存在し、
前記第１のアニオン性モノマー単位が、マレイン酸モノメチル、そのアルカリ金属塩、及びこれらの組み合わせからなる群から選択されるメンバーから誘導され、
前記第２のＰＶＯＨポリマーが、前記ＰＶＯＨブレンド中に、前記ブレンド中の全ＰＶＯＨポリマーの約１０質量％〜約５０質量％の範囲で存在し、前記第２のモノマー単位が、アクリルアミドメチルプロパンスルホン酸、そのアルカリ金属塩、及びこれらの組み合わせからなる群から選択されるメンバーから誘導される、請求項３４に記載のフィルム。
【請求項３６】
前記第１のＰＶＯＨポリマーが、前記ＰＶＯＨブレンド中に、前記ブレンド中の全ＰＶＯＨポリマーの約２０質量％〜約６０質量％、好ましくは約３０質量％〜約４０質量％の範囲で存在し、
前記第１のＰＶＯＨポリマーの前記第１のアニオン性モノマー単位が、マレイン酸モノメチル、そのアルカリ金属塩、及びこれらの組み合わせからなる群から選択されるメンバーから誘導され、
前記ＰＶＯＨホモポリマーが、約１０ｃＰ〜約３０ｃＰの約２０℃での４％溶液粘度（μ2）を特徴とし、前記ＰＶＯＨ樹脂ブレンド中に、前記ブレンド中の全ＰＶＯＨポリマーの約４０質量％〜約８０質量％、好ましくは約６０質量％〜約７０質量％の範囲で存在する、請求項３４に記載のフィルム。
【請求項３７】
前記第２のＰＶＯＨポリマーが、約１０ｃＰ〜約４０ｃＰ、または約１０ｃＰ〜約３０ｃＰ、または約１２ｃＰ〜約２５ｃＰの２０℃での４％溶液粘度（μ2）を特徴とする、請求項３４に記載のフィルム。
【請求項３８】
前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、請求項３４に記載のフィルム。
【請求項３９】
前記第１のＰＶＯＨポリマーが、２０℃での第１の４％溶液粘度（μ1）を特徴とし、前記第２のＰＶＯＨポリマーが、２０℃での第２の４％溶液粘度（μ2）を特徴とし、前記第１のＰＶＯＨポリマー及び前記第２のＰＶＯＨポリマーについての絶対粘度差｜μ2−μ1｜が、０ｃｐ〜約１０ｃＰの範囲である、請求項３４に記載のフィルム。
【請求項４０】
前記水溶性フィルムが、以下の特徴：
ａ）溶解チャンバー試験によって測定される約４８質量％以下の残留物値、
ｂ）引張強度試験によって測定される少なくとも約２０ＭＰａの平均引張強度値、及び／または
ｃ）モジュラス試験によって測定される少なくとも約１０Ｎ／ｍｍ2のモジュラス値のうちの少なくとも１つ、または少なくとも２つ、または３つすべてを有する、請求項３４に記載のフィルム。
【請求項４１】
パウチの形態の、前記パウチが、任意で少なくとも２つの区画、または少なくとも３つの区画を含む、請求項３４に記載のフィルム。
【請求項４２】
請求項３４に記載のフィルムを含む容器。
【請求項４３】
香料と有機溶媒とを含む組成物を含有し、経時的に前記香料を選択的に放出させるように適合された水溶性フィルムの作製方法であって、前記フィルム中にポリビニルアルコール（ＰＶＯＨ）樹脂ブレンドを含むことを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、方法。
【請求項４４】
容器システムであって、
内部空間を画定する壁を有する密閉可能な容器と、
前記内部空間中の少なくとも１つのパウチと、を備え、前記パウチが、水溶性フィルムと、前記水溶性フィルムによって区画に少なくとも部分的に封入された非家庭用ケア組成物とを含み、
前記非家庭用ケア組成物が、前記非家庭用ケア組成物の約０．１質量％〜約１０質量％の香料と、前記非家庭用ケア組成物の約１質量％〜約５０質量％の有機溶媒とを含み、
前記フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、容器システム。
【請求項４５】
基材の処理方法であって、
請求項４４に記載の容器システムを含む密閉容器を、開封するステップと、
前記容器の内部空間に収容されたパウチにアクセスするステップであって、前記パウチが、水溶性フィルムと、前記水溶性フィルムによって区画に少なくとも部分的に封入された非家庭用ケア組成物とを含むステップと、
（ここで、前記非家庭用ケア組成物が、前記非家庭用ケア組成物の約０．１質量％〜約１０質量％の香料と、前記非家庭用ケア組成物の約１質量％〜約５０質量％の有機溶媒とを含み、
前記フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む）
前記水溶性フィルムの少なくとも一部分が溶解し、それによって前記非家庭用ケア組成物の少なくとも一部分を放出させるように、前記パウチを水と組み合わせるステップと、
処理すべき基材を前記非家庭用ケア組成物と接触させるステップと、を含む、方法。
【手続補正２】
【補正対象書類名】明細書
【補正対象項目名】０４３７
【補正方法】変更
【補正の内容】
【０４３７】
本発明の特定の実施形態を例示し、説明してきたが、本発明の主旨及び範囲から逸脱することなく、様々な他の変更及び修正を行うことができることは、当業者には明らかであろう。したがって、添付の特許請求の範囲において、本発明の範囲内にあるこのようなすべての変更及び修正を包含することが意図される。
本発明のまた別の態様は、以下のとおりであってもよい。
〔１〕容器システムであって、
内部空間を画定する壁を有する密閉可能な容器と、
前記内部空間中の少なくとも１つのパウチと、を備え、前記パウチが、水溶性フィルムと、前記水溶性フィルムによって区画に少なくとも部分的に封入された家庭用ケア組成物とを含み、
前記家庭用ケア組成物が、前記家庭用ケア組成物の約０．１質量％〜約１０質量％の香料と、前記家庭用ケア組成物の約１質量％〜約５０質量％の有機溶媒とを含み、
前記フィルムが、少なくとも約５０質量％のポリビニルアルコール（ＰＶＯＨ）樹脂ブレンドを含み、
第１のＰＶＯＨポリマーが、前記フィルム中の全ＰＶＯＨポリマーの約６５質量％〜約９０質量％で存在し、第１のアニオン性モノマー単位と、ビニルアルコールモノマー単位と、任意で酢酸ビニル単位とを含み、
前記ＰＶＯＨ樹脂ブレンドが、約１０質量％〜約３５質量％で存在する第２のＰＶＯＨポリマーをさらに含み、前記第２のＰＶＯＨが、本質的にビニルアルコールモノマー単位と任意で酢酸ビニル単位とからなるＰＶＯＨホモポリマーを含む、ステップと、
前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まない、容器システム。
〔２〕前記第１のＰＶＯＨポリマーが、前記フィルム中の全ＰＶＯＨポリマーの約７０質量％〜約９０質量％で存在し、前記第２のＰＶＯＨポリマーが、約１０質量％〜約３０質量％で存在する、前記〔１〕に記載の容器システム。
〔３〕前記第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、または前述のアルカリ金属塩、前述のエステル、及びこれらの組み合わせからなる群から選択されるメンバーから誘導される、前記〔１〕に記載の容器システム。
〔４〕前記第１のアニオン性モノマー単位が、カルボキシル化アニオン性モノマー単位から誘導される、前記〔３〕に記載の容器システム。
〔５〕前記第１のアニオン性モノマー単位が、マレイン酸、マレイン酸モノアルキル、マレイン酸ジアルキル、無水マレイン酸、及びこれらの組み合わせからなる群から選択されるメンバーから誘導される、前記〔４〕に記載の容器システム。
〔６〕前記第１のアニオン性モノマー単位が、マレイン酸モノメチル、その塩、及びこれらの組み合わせからなる群から選択されるマレイン酸モノアルキルから誘導される、前記〔５〕に記載の容器システム。
〔７〕前記第１のアニオン性モノマー単位が、前記第１のＰＶＯＨポリマー中に、前記第１のＰＶＯＨポリマーの約１．０モル％〜約５．０モル％、好ましくは約２モル％〜約４モル％の範囲の量で存在する、前記〔１〕に記載の容器システム。
〔８〕前記第１のアニオン性モノマー単位が、前記フィルム中に、前記フィルム中の全ＰＶＯＨポリマーの約０．５モル％〜約５モル％の範囲の量で存在する、前記〔１〕に記載の容器システム。
〔９〕前記第１のＰＶＯＨポリマーが、前記フィルム中の全ＰＶＯＨポリマーの約６５質量％〜約８０質量％の範囲の量で存在する、前記〔１〕に記載の容器システム。
〔１０〕前記第２のＰＶＯＨポリマーが、前記フィルム中の全ＰＶＯＨポリマーの約２０質量％〜約４５質量％の範囲の量で存在する、前記〔１〕に記載の容器システム。
〔１１〕前記第１のＰＶＯＨポリマーが、前記ＰＶＯＨブレンド中に、前記ブレンド中の全ＰＶＯＨポリマーの約６５質量％〜約９０質量％、または約６５質量％〜約８０質量％の範囲で存在し、
前記第１のＰＶＯＨポリマーの前記第１のアニオン性モノマー単位が、マレイン酸モノメチル、そのアルカリ金属塩、及びこれらの組み合わせからなる群から選択されるメンバーから誘導され、
前記ＰＶＯＨホモポリマーが、約１０ｃＰ〜約３０ｃＰの２０℃での４％溶液粘度（μ２）を特徴とし、前記ＰＶＯＨ樹脂ブレンド中に、前記ブレンド中の全ＰＶＯＨポリマーの約１０質量％〜約４５質量％、または約２０質量％〜約４５質量％の範囲で存在する、前記〔１〕に記載の容器システム。
〔１２〕前記第２のＰＶＯＨポリマーが、約３．０〜約４０ｃＰ、または約７〜約４０ｃＰ、または約１０ｃＰ〜約４０ｃＰ、または約１０ｃＰ〜約３０ｃＰ、または約１２ｃＰ〜約２５ｃＰの２０℃での４％溶液粘度（μ２）を特徴とする、前記〔１〕に記載の容器システム。
〔１３〕前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、前記〔１〕に記載の容器システム。
〔１４〕前記第１のＰＶＯＨポリマーが、２０℃での第１の４％溶液粘度（μ１）を特徴とし、前記第２のＰＶＯＨポリマーが、２０℃での第２の４％溶液粘度（μ２）を特徴とし、前記第１のＰＶＯＨポリマー及び前記第２のＰＶＯＨポリマーについての絶対粘度差｜μ２−μ１｜が、０ｃｐ〜約１０ｃＰの範囲である、前記〔１〕に記載の容器システム。
〔１５〕前記ＰＶＯＨ樹脂ブレンドが、前記水溶性フィルム中に、前記フィルムの約５０質量％〜約９５質量％の範囲の量で存在する、前記〔１〕に記載の容器システム。
〔１６〕前記水溶性フィルムが、以下の特徴：
ａ）溶解チャンバー試験によって測定される約４８質量％以下の残留物値、
ｂ）引張強度試験によって測定される少なくとも約３３ＭＰａの平均引張強度値、及び／または
ｃ）モジュラス試験によって測定される少なくとも約１２Ｎ／ｍｍ２のモジュラス値のうちの少なくとも１つ、または少なくとも２つ、または３つすべてを有する、前記〔１〕に記載の容器システム。
〔１７〕前記水溶性フィルムが、好ましくはＰＶＯＨポリマー以外のポリマーである、少なくとも第３の水溶性ポリマーをさらに含む、前記〔１〕に記載の容器システム。
〔１８〕前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、前記〔１７〕に記載の容器システム。
〔１９〕前記水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、前記〔１〕に記載の容器システム。
〔２０〕前記水溶性フィルムが、１つ以上の可塑剤を、前記フィルムの約１質量％〜約４０質量％の範囲の量でさらに含む、前記〔１〕に記載の容器システム。
〔２１〕前記パウチが、少なくとも２つの区画、または少なくとも３つの区画を含む、前記〔１〕に記載の容器システム。
〔２２〕前記有機溶媒が、モノアルコール、ポリオール、グリコール、及びこれらの組み合わせからなる群から選択される、前記〔１〕に記載の容器システム。
〔２３〕前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、前記〔１〕に記載の容器システム。
〔２４〕前記有機溶媒が、全有機溶媒の少なくとも約１０質量％、または少なくとも約２０質量％の、２５０℃を超える沸点を有する有機溶媒を含み、前記香料が、全香料の少なくとも約１０質量％、または少なくとも約２０質量％、または少なくとも約３０質量％の、２５０℃未満の沸点を有する香料原材料を含む、前記〔１〕に記載の容器システム。
〔２５〕前記有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、前記香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、前記〔１〕に記載の容器システム。
〔２６〕前記フィルムが、少なくとも１つの可塑剤をさらに含み、前記有機溶媒のうちの少なくとも１つが、前記可塑剤（「共通溶媒／可塑剤」）と同じであり、好ましくは前記共通溶媒／可塑剤が、グリセロール、ソルビトール、ジプロピレングリコール、１，２−プロパンジオール、１，３−プロパンジオール、及びこれらの組み合わせから選択される、前記〔１〕に記載の容器システム。
〔２７〕前記家庭用ケア組成物が、前記組成物の約５質量％〜約７０質量％の、界面活性剤を含む、前記〔１〕に記載の容器システム。
〔２８〕前記家庭用ケア組成物が、布地ケア組成物である、前記〔１〕に記載の容器システム。
〔２９〕前記密閉可能な容器が、再密閉可能である、前記〔１〕に記載の容器システム。
〔３０〕前記密閉可能な容器が、軟性バッグ及び剛性タブから選択される、前記〔１〕に記載の容器システム。
〔３１〕布地のような基材の処理方法であって、
密閉容器を開封するステップと、
前記容器の内部空間に収容されたパウチにアクセスするステップであって、前記パウチが、水溶性フィルムと、前記水溶性フィルムによって区画に少なくとも部分的に封入された家庭用ケア組成物とを含み、
前記家庭用ケア組成物が、前記家庭用ケア組成物の約０．１質量％〜約１０質量％の香料と、前記家庭用ケア組成物の約１質量％〜約５０質量％の有機溶媒とを含み、
前記フィルムが、少なくとも約５０質量％のポリビニルアルコール（ＰＶＯＨ）樹脂ブレンドを含み、
第１のＰＶＯＨポリマーが、前記フィルム中の全ＰＶＯＨポリマーの約６５質量％〜約９０質量％で存在し、第１のアニオン性モノマー単位と、ビニルアルコールモノマー単位と、任意で酢酸ビニル単位とを含み、
前記ＰＶＯＨ樹脂ブレンドが、約１０質量％〜約３５質量％で存在する第２のＰＶＯＨポリマーをさらに含み、前記第２のＰＶＯＨが、本質的にビニルアルコールモノマー単位と任意で酢酸ビニル単位とからなるＰＶＯＨホモポリマーを含む、ステップと、
前記水溶性フィルムの少なくとも一部分が溶解し、それによって前記家庭用ケア組成物の少なくとも一部分を放出させるように、前記パウチを水と組み合わせるステップと、
処理すべき基材を前記家庭用ケア組成物と接触させるステップであって、
前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まない、容器システム。
〔３２〕香料と有機溶媒とを含む家庭用ケア組成物を含有する区画を少なくとも部分的に封入するパウチを形成するための、水溶性フィルムの使用であって、前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まず、
前記フィルムが、少なくとも約５０質量％のポリビニルアルコール（ＰＶＯＨ）樹脂ブレンドを含み、
第１のＰＶＯＨポリマーが、前記フィルム中の全ＰＶＯＨポリマーの約６５質量％〜約９０質量％で存在し、第１のアニオン性モノマー単位と、ビニルアルコールモノマー単位と、任意で酢酸ビニル単位とを含み、
前記ＰＶＯＨ樹脂ブレンドが、約１０質量％〜約３５質量％で存在する第２のＰＶＯＨポリマーをさらに含み、前記第２のＰＶＯＨが、本質的にビニルアルコールモノマー単位と任意で酢酸ビニル単位とからなるＰＶＯＨホモポリマーを含む、使用。
〔３３〕容器システムであって、
内部空間を画定する壁を有する密閉可能な容器と、
前記内部空間中の少なくとも１つのパウチと、を備え、前記パウチが、水溶性フィルムと、前記水溶性フィルムによって区画に少なくとも部分的に封入された家庭用ケア組成物とを含み、
前記家庭用ケア組成物が、前記家庭用ケア組成物の約０．１質量％〜約１０質量％の香料と、前記家庭用ケア組成物の約１質量％〜約５０質量％の有機溶媒とを含み、
前記フィルムが、少なくとも５０質量％のポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが、第２のアニオン性モノマー単位と、ビニルアルコールモノマー単位と、任意で酢酸ビニル単位とを含む第２のＰＶＯＨポリマーをさらに含む、ステップと、
前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まない、容器システム。
〔３４〕前記第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、前記〔４８〕に記載の容器システム。
〔３５〕前記第１のアニオン性モノマー単位が、カルボキシル化アニオン性モノマー単位から誘導される、前記〔３４〕に記載の容器システム。
〔３６〕前記第１のアニオン性モノマー単位が、マレイン酸、マレイン酸モノアルキル、マレイン酸ジアルキル、無水マレイン酸、及びこれらの組み合わせからなる群から選択されるメンバーから誘導される、前記〔３５〕に記載の容器システム。
〔３７〕前記第１のアニオン性モノマー単位が、マレイン酸モノメチル、その塩、及びこれらの組み合わせからなる群から選択されるマレイン酸モノアルキルから誘導される、前記〔３６〕に記載の容器システム。
〔３８〕前記第１のアニオン性モノマー単位が、前記第１のＰＶＯＨポリマー中に、前記第１のＰＶＯＨポリマーの約１．０モル％〜約５．０モル％、好ましくは約２モル％〜約４モル％の範囲の量で存在する、前記〔３３〕に記載の容器システム。
〔３９〕前記第１のアニオン性モノマー単位が、前記フィルム中に、前記フィルム中の全ＰＶＯＨポリマーの約０．５モル％〜約５モル％の範囲の量で存在する、前記〔３３〕に記載の容器システム。
〔４０〕前記第１のＰＶＯＨポリマーが、前記フィルム中の全ＰＶＯＨポリマーの約１０質量％〜約９０質量％の範囲の量で存在する、前記〔３３〕に記載の容器システム。
〔４１〕前記第２のアニオン性モノマー単位が、前記第１のアニオン性モノマー単位とは異なる、前記〔３３〕に記載の容器システム。
〔４２〕前記第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、前記〔３３〕に記載の容器システム。
〔４３〕前記第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、前記〔３３〕に記載の容器システム。
〔４４〕前記第１のＰＶＯＨポリマーが、前記ＰＶＯＨブレンド中に、前記ブレンド中の全ＰＶＯＨポリマーの約５０質量％〜約９０質量％の範囲で存在し、
前記第１のアニオン性モノマー単位が、マレイン酸モノメチル、そのアルカリ金属塩、及びこれらの組み合わせからなる群から選択されるメンバーから誘導され、
前記第２のＰＶＯＨポリマーが、前記ＰＶＯＨブレンド中に、前記ブレンド中の全ＰＶＯＨポリマーの約１０質量％〜約５０質量％の範囲で存在し、前記第２のモノマー単位が、アクリルアミドメチルプロパンスルホン酸、そのアルカリ金属塩、及びこれらの組み合わせからなる群から選択されるメンバーから誘導される、前記〔３３〕に記載の容器システム。
〔４５〕前記第１のＰＶＯＨポリマーが、前記第１のアニオン性モノマー単位の第１の取り込みレベル（ａ１）を有し、前記第２のＰＶＯＨポリマーが、前記第２のアニオン性モノマー単位の第２の組み込みレベル（ａ２）を有し、前記第１及び第２のアニオン性モノマーが同じである場合、｜ａ１−ａ２｜の絶対値が０より大きい、前記〔３３〕に記載の容器システム。
〔４６〕ａ１が、前記第１のＰＶＯＨポリマーの約１モル％〜約５モル％、好ましくは約１モル％〜約３モル％の範囲であり、ａ２が、前記第２のＰＶＯＨポリマーの約１モル％〜約５モル％、好ましくは約１モル％〜約３モル％であり、｜ａ１−ａ２｜、好ましくはａ１−ａ２が、約０モル％〜約３モル％、または約１モル％〜約３モル％の範囲である、前記〔４５〕に記載の容器システム。
〔４７〕前記第２のアニオン性モノマー単位が、前記第２のＰＶＯＨポリマー中に、前記第２のＰＶＯＨポリマーの約１．０モル％〜約５．０モル％の範囲の量で存在する、前記〔３３〕に記載の容器システム。
〔４８〕前記第２のアニオン性モノマー単位が、前記フィルム中に、前記フィルム中の全ＰＶＯＨポリマーの約０．２モル％〜約４．５モル％の範囲の量で存在する、前記〔３３〕に記載の容器システム。
〔４９〕前記第１のアニオン性モノマー単位及び前記第２のアニオン性モノマー単位が共に、前記フィルム中の全ＰＶＯＨポリマーの約２．０モル％〜約３．５モル％の範囲の合計量で存在する、前記〔３３〕に記載の容器システム。
〔５０〕前記第２のＰＶＯＨポリマーが、前記フィルム中の全ＰＶＯＨポリマーの約１０質量％〜約９０質量％の範囲の量で存在する、前記〔３３〕に記載の容器システム。
〔５１〕前記第２のＰＶＯＨポリマーが、約３．０〜約４０ｃＰ、または約７〜約４０ｃＰ、または約１０ｃＰ〜約４０ｃＰ、または約１０ｃＰ〜約３０ｃＰ、または約１２ｃＰ〜約２５ｃＰの２０℃での４％溶液粘度（μ２）を特徴とする、前記〔３３〕に記載の容器システム。
〔５２〕前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、前記〔３３〕に記載の容器システム。
〔５３〕前記第１のＰＶＯＨポリマーが、２０℃での第１の４％溶液粘度（μ１）を特徴とし、前記第２のＰＶＯＨポリマーが、２０℃での第２の４％溶液粘度（μ２）を特徴とし、前記第１のＰＶＯＨポリマー及び前記第２のＰＶＯＨポリマーについての絶対粘度差｜μ２−μ１｜が、０ｃｐ〜約１０ｃＰの範囲である、前記〔３３〕に記載の容器システム。
〔５４〕前記ＰＶＯＨ樹脂ブレンドが、前記水溶性フィルム中に、前記フィルムの約５０質量％〜約９５質量％の範囲の量で存在する、前記〔３３〕に記載の容器システム。
〔５５〕前記水溶性フィルムが、以下の特徴：
ａ）溶解チャンバー試験によって測定される約４８質量％以下の残留物値、
ｂ）引張強度試験によって測定される少なくとも約３３ＭＰａの平均引張
強度値、及び／または
ｃ）モジュラス試験によって測定される少なくとも約１２Ｎ／ｍｍ２のモジュラス値のうちの少なくとも１つ、または少なくとも２つ、または３つすべてを有する、前記〔３３〕に記載の容器システム。
〔５６〕前記水溶性フィルムが、好ましくはＰＶＯＨポリマー以外のポリマーである、少なくとも第３の水溶性ポリマーをさらに含む、前記〔３３〕に記載の容器システム。
〔５７〕前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、前記〔５６〕に記載の容器システム。
〔５８〕前記水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、前記〔３３〕に記載の容器システム。
〔５９〕前記水溶性フィルムが、１つ以上の可塑剤を、前記フィルムの約１質量％〜約４０質量％の範囲の量でさらに含む、前記〔３３〕に記載の容器システム。
〔６０〕前記パウチが、少なくとも２つの区画、または少なくとも３つの区画を含む、前記〔３３〕に記載の容器システム。
〔６１〕前記有機溶媒が、モノアルコール、ポリオール、グリコール、及びこれらの組み合わせからなる群から選択される、前記〔３３〕に記載の容器システム。
〔６２〕前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、前記〔３３〕に記載の容器システム。
〔６３〕前記有機溶媒が、全有機溶媒の少なくとも約１０質量％、または少なくとも約２０質量％の、２５０℃を超える沸点を有する有機溶媒を含み、前記香料が、全香料の少なくとも約１０質量％、または少なくとも約２０質量％、または少なくとも約３０質量％の、２５０℃未満の沸点を有する香料原材料を含む、前記〔３３〕に記載の容器システム。
〔６４〕前記有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、前記香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、前記〔３３〕に記載の容器システム。
〔６５〕前記フィルムが、少なくとも１つの可塑剤をさらに含み、前記有機溶媒のうちの少なくとも１つが、前記可塑剤（「共通溶媒／可塑剤」）と同じであり、好ましくは前記共通溶媒／可塑剤が、グリセロール、ソルビトール、ジプロピレングリコール、１，２−プロパンジオール、１，３−プロパンジオール、及びこれらの組み合わせから選択される、前記〔３３〕に記載の容器システム。
〔６６〕前記家庭用ケア組成物が、前記組成物の約５質量％〜約７０質量％の界面活性剤を含む、前記〔３３〕に記載の容器システム。
〔６７〕前記家庭用ケア組成物が、布地ケア組成物である、前記〔３３〕に記載の容器システム。
〔６８〕前記密閉可能な容器が、再密閉可能である、前記〔３３〕に記載の容器システム。
〔６９〕前記密閉可能な容器が、軟性バッグ及び剛性タブから選択される、前記〔３３〕に記載の容器システム。
〔７０〕布地のような基材の処理方法であって、
密閉容器を開封するステップと、
前記容器の内部空間に収容されたパウチにアクセスするステップであって、前記パウチが、水溶性フィルムと、前記水溶性フィルムによって区画に少なくとも部分的に封入された家庭用ケア組成物とを含み、
前記家庭用ケア組成物が、前記家庭用ケア組成物の約０．１質量％〜約１０質量％の香料と、前記家庭用ケア組成物の約１質量％〜約５０質量％の有機溶媒とを含み、前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まず、
前記フィルムが、少なくとも５０質量％のポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが、第２のアニオン性モノマー単位と、ビニルアルコールモノマー単位と、任意で酢酸ビニル単位とを含む第２のＰＶＯＨポリマーをさらに含む、ステップと、
前記水溶性フィルムの少なくとも一部分が溶解し、それによって前記家庭用ケア組成物の少なくとも一部分を放出させるように、前記パウチを水と組み合わせるステップと、
処理すべき基材を前記家庭用ケア組成物と接触させるステップと、を含む、方法。
〔７１〕香料と有機溶媒とを含む家庭用ケア組成物を含有する区画を少なくとも部分的に封入するパウチを形成するための、水溶性フィルムの使用であって、前記家庭用ケア組成物が、（ｉ）、（ｉｉ）、（ｉｉｉ）、または（ｉｖ）：
（ｉ）約１５％〜約６０％の象限Ｉ、象限ＩＩ、及び象限ＩＩＩ香料成分
（ｉｉ）約２％〜約１５％の象限Ｉ香料成分
（ｉｉｉ）約２％〜約１５％の象限Ｉ香料成分、２．５％〜２５％の象限ＩＩ香料成分、１０％〜５０％の象限ＩＩＩ香料成分、及び４０％〜８５％の象限ＩＶ香料成分
（ｉｖ）コア／シェルカプセル化物にカプセル化された香料を含まず、
前記水溶性フィルムが、少なくとも５０質量％のポリビニルアルコール（ＰＶＯＨ）樹脂ブレンドを含み、前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、前記ＰＶＯＨ樹脂ブレンドが、第２のアニオン性モノマー単位と、ビニルアルコールモノマー単位と、任意で酢酸ビニル単位とを含む第２のＰＶＯＨポリマーをさらに含む、使用。
〔７２〕香料と有機溶媒とを含む組成物を含有するのに適した、または経時的に前記香料を選択的に放出させるように適合された水溶性フィルムであって、
前記フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、使用。
〔７３〕前記第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、前記〔７２〕に記載のフィルム。
〔７４〕前記第１のアニオン性モノマー単位が、カルボキシル化アニオン性モノマー単位から誘導される、前記〔７３〕に記載のフィルム。
〔７５〕前記第１のアニオン性モノマー単位が、マレイン酸、マレイン酸モノアルキル、マレイン酸ジアルキル、無水マレイン酸、及びこれらの組み合わせからなる群から選択されるメンバーから誘導される、前記〔７４〕に記載のフィルム。
〔７６〕前記第１のアニオン性モノマー単位が、マレイン酸モノメチル、その塩、及びこれらの組み合わせからなる群から選択されるマレイン酸モノアルキルから誘導される、前記〔７５〕に記載のフィルム。
〔７７〕前記第１のアニオン性モノマー単位が、前記第１のＰＶＯＨポリマー中に、前記第１のＰＶＯＨポリマーの約１．０モル％〜約５．０モル％、好ましくは約２モル％〜約４モル％の範囲の量で存在する、前記〔７２〕に記載のフィルム。
〔７８〕前記第１のアニオン性モノマー単位が、前記フィルム中に、前記フィルム中の全ＰＶＯＨポリマーの約０．５モル％〜約５モル％の範囲の量で存在する、前記〔７２〕に記載のフィルム。
〔７９〕前記第１のＰＶＯＨポリマーが、前記フィルム中の全ＰＶＯＨポリマーの約１０質量％〜約９０質量％の範囲の量で存在する、前記〔７２〕に記載のフィルム。
〔８０〕前記第２のＰＶＯＨポリマーが、第２のアニオン性モノマー単位を含む、前記〔７２〕に記載のフィルム。
〔８１〕前記第２のアニオン性モノマー単位が、前記第１のアニオン性モノマー単位とは異なる、前記〔８０〕に記載のフィルム。
〔８２〕前記第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、前記〔８０〕に記載のフィルム。
〔８３〕前記第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、前記〔８０〕に記載のフィルム。
〔８４〕前記第１のＰＶＯＨポリマーが、前記ＰＶＯＨブレンド中に、前記ブレンド中の全ＰＶＯＨポリマーの約５０質量％〜約９０質量％の範囲で存在し、
前記第１のアニオン性モノマー単位が、マレイン酸モノメチル、そのアルカリ金属塩、及びこれらの組み合わせからなる群から選択されるメンバーから誘導され、
前記第２のＰＶＯＨポリマーが、前記ＰＶＯＨブレンド中に、前記ブレンド中の全ＰＶＯＨポリマーの約１０質量％〜約５０質量％の範囲で存在し、前記第２のモノマー単位が、アクリルアミドメチルプロパンスルホン酸、そのアルカリ金属塩、及びこれらの組み合わせからなる群から選択されるメンバーから誘導される、前記〔８０〕に記載のフィルム。
〔８５〕前記第１のＰＶＯＨポリマーが、前記第１のアニオン性モノマー単位の第１の取り込みレベル（ａ1）を有し、前記第２のＰＶＯＨポリマーが、前記第２のアニオン性モノマー単位の第２の取り込みレベル（ａ2）を有し、前記第１及び第２のアニオン性モノマーが同じである場合、｜ａ1−ａ2｜の絶対値が０より大きい、前記〔８０〕に記載のフィルム。
〔８６〕ａ1が、前記第１のＰＶＯＨポリマーの約１モル％〜約５モル％、好ましくは約１モル％〜約３モル％の範囲であり、ａ2が、前記第２のＰＶＯＨポリマーの約１モル％〜約５モル％、好ましくは約１モル％〜約３モル％であり、｜ａ1−ａ2｜、好ましくはａ1−ａ2が、約０モル％〜約３モル％、または約１モル％〜約３モル％の範囲である、前記〔８５〕に記載のフィルム。
〔８７〕前記第２のアニオン性モノマー単位が、前記第２のＰＶＯＨポリマー中に、前記第２のＰＶＯＨポリマーの約１．０モル％〜約５．０モル％の範囲の量で存在する、前記〔８０〕に記載のフィルム。
〔８８〕前記第２のアニオン性モノマー単位が、前記フィルム中に、前記フィルム中の全ＰＶＯＨポリマーの約０．２モル％〜約４．５モル％の範囲の量で存在する、前記〔８０〕に記載のフィルム。
〔８９〕前記第１のアニオン性モノマー単位及び前記第２のアニオン性モノマー単位が共に、前記フィルム中の全ＰＶＯＨポリマーの約２．０モル％〜約３．５モル％の範囲の合計量で存在する、前記〔８０〕に記載のフィルム。
〔９０〕前記第２のＰＶＯＨポリマーが、前記フィルム中の全ＰＶＯＨポリマーの約１０質量％〜約９０質量％の範囲の量で存在する、前記〔７２〕に記載のフィルム。
〔９１〕前記第２のＰＶＯＨポリマーが、ＰＶＯＨホモポリマーである、前記〔７２〕に記載のフィルム。
〔９２〕前記第１のＰＶＯＨポリマーが、前記ＰＶＯＨブレンド中に、前記ブレンド中の全ＰＶＯＨポリマーの約２０質量％〜約６０質量％、好ましくは約３０質量％〜約４０質量％の範囲で存在し、
前記第１のＰＶＯＨポリマーの前記第１のアニオン性モノマー単位が、マレイン酸モノメチル、そのアルカリ金属塩、及びこれらの組み合わせからなる群から選択されるメンバーから誘導され、
前記ＰＶＯＨホモポリマーが、約１０ｃＰ〜約３０ｃＰの約２０℃での４％溶液粘度（μ2）を特徴とし、前記ＰＶＯＨ樹脂ブレンド中に、前記ブレンド中の全ＰＶＯＨポリマーの約４０質量％〜約８０質量％、好ましくは約６０質量％〜約７０質量％の範囲で存在する、前記〔９１〕に記載のフィルム。
〔９３〕前記第２のＰＶＯＨポリマーが、約１０ｃＰ〜約４０ｃＰ、または約１０ｃＰ〜約３０ｃＰ、または約１２ｃＰ〜約２５ｃＰの２０℃での４％溶液粘度（μ2）を特徴とする、前記〔７２〕に記載のフィルム。
〔９４〕前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、前記〔７２〕に記載のフィルム。
〔９５〕前記第１のＰＶＯＨポリマーが、２０℃での第１の４％溶液粘度（μ1）を特徴とし、前記第２のＰＶＯＨポリマーが、２０℃での第２の４％溶液粘度（μ2）を特徴とし、前記第１のＰＶＯＨポリマー及び前記第２のＰＶＯＨポリマーについての絶対粘度差｜μ2−μ1｜が、０ｃｐ〜約１０ｃＰの範囲である、前記〔７２〕に記載のフィルム。
〔９６〕前記ＰＶＯＨ樹脂ブレンドが、前記水溶性フィルム中に、前記フィルムの約３０質量％〜約９５質量％の範囲の量で存在する、前記〔７２〕に記載のフィルム。
〔９７〕前記水溶性フィルムが、以下の特徴：
ａ）溶解チャンバー試験によって測定される約４８質量％以下の残留物値、
ｂ）引張強度試験によって測定される少なくとも約２０ＭＰａの平均引張強度値、及び／または
ｃ）モジュラス試験によって測定される少なくとも約１０Ｎ／ｍｍ2のモジュラス値のうちの少なくとも１つ、または少なくとも２つ、または３つすべてを有する、前記〔７２〕に記載のフィルム。
〔９８〕前記水溶性フィルムが、好ましくはＰＶＯＨポリマー以外のポリマーである、少なくとも第３の水溶性ポリマーをさらに含む、前記〔７２〕に記載のフィルム。
〔９９〕前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、前記〔９８〕に記載のフィルム。
〔１００〕前記水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、前記〔７２〕に記載のフィルム。
〔１０１〕前記水溶性フィルムが、１つ以上の可塑剤を、前記フィルムの約１質量％〜約４０質量％の範囲の量でさらに含む、前記〔７２〕に記載のフィルム。
〔１０２〕パウチの形態の、前記パウチが、任意で少なくとも２つの区画、または少なくとも３つの区画を含む、前記〔７２〕に記載のフィルム。
〔１０３〕前記香料が、前記香料の約１５質量％〜約６０質量％の、象限Ｉ香料成分、象限ＩＩ香料成分、象限ＩＩＩ香料成分、及びこれらの組み合わせから選択される非持続性香料成分を含む、前記〔７２〕に記載のフィルム。
〔１０４〕前記香料が、前記香料の約２質量％〜約１５質量％の、象限Ｉ香料成分を含む、前記〔７２〕に記載のフィルム。
〔１０５〕前記香料が：
ａ）香料アコードの約２質量％〜約１５質量％、好ましくは約３質量％〜約１２質量％、より好ましくは約４質量％〜約１０質量％の象限Ｉ香料成分と、
ｂ）約２．５質量％〜約２５質量％、好ましくは約３質量％〜約２０質量％、より好ましくは約５質量％〜約１５質量％の象限ＩＩ香料成分と、
ｃ）約１０質量％〜約５０質量％、好ましくは約１５質量％〜約４５質量％、より好ましくは約２０質量％〜約４０質量％の象限ＩＩＩ香料成分と、
ｄ）約４０質量％〜約８５質量％、好ましくは約４５質量％〜約７５質量％、より好ましくは約４０質量％〜約６５質量％の象限ＩＶ香料成分と、を含む、前記〔７２〕に記載のフィルム。
〔１０６〕前記香料の少なくとも一部分が、コア−シェルカプセル化物にカプセル化される、前記〔７２〕に記載のフィルム。
〔１０７〕前記有機溶媒が、モノアルコール、ポリオール、グリコール、及びこれらの組み合わせからなる群から選択される、前記〔７２〕に記載のフィルム。
〔１０８〕前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、前記〔７２〕に記載のフィルム。
〔１０９〕前記有機溶媒が、全有機溶媒の少なくとも約１０質量％、または少なくとも約２０質量％の、２５０℃を超える沸点を有する有機溶媒を含み、前記香料が、全香料の少なくとも約１０質量％、または少なくとも約２０質量％、または少なくとも約３０質量％の、２５０℃未満の沸点を有する香料原材料を含む、前記〔７２〕に記載のフィルム。
〔１１０〕前記有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、前記香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、前記〔７２〕に記載のフィルム。
〔１１１〕前記フィルムが、少なくとも１つの可塑剤をさらに含み、前記有機溶媒のうちの少なくとも１つが、前記可塑剤（「共通溶媒／可塑剤」）と同じであり、好ましくは前記共通溶媒／可塑剤が、グリセロール、ソルビトール、ジプロピレングリコール、１，２−プロパンジオール、１，３−プロパンジオール、及びこれらの組み合わせから選択される、前記〔７２〕に記載のフィルム。
〔１１２〕前記組成物が、前記組成物の約５質量％〜約７０質量％の界面活性剤を含む、前記〔７２〕に記載のフィルム。
〔１１３〕前記組成物が、布地ケア組成物である、前記〔７２〕に記載のフィルム。
〔１１４〕前記〔７２〕〜〔１１３〕のいずれか一項に記載のフィルムを含む容器。
〔１１５〕香料と有機溶媒とを含む組成物を含有し、経時的に前記香料を選択的に放出させるように適合された水溶性フィルムの作製方法であって、前記フィルム中にポリビニルアルコール（ＰＶＯＨ）樹脂ブレンドを含むことを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、方法。
〔１１６〕前記第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、前記〔１１５〕に記載の方法。
〔１１７〕前記第１のアニオン性モノマー単位が、カルボキシル化アニオン性モノマー単位から誘導される、前記〔１１６〕に記載の方法。
〔１１８〕前記第１のアニオン性モノマー単位が、マレイン酸、マレイン酸モノアルキル、マレイン酸ジアルキル、無水マレイン酸、及びこれらの組み合わせからなる群から選択されるメンバーから誘導される、前記〔１１７〕に記載の方法。
〔１１９〕前記第１のアニオン性モノマー単位が、マレイン酸モノメチル、その塩、及びこれらの組み合わせからなる群から選択されるマレイン酸モノアルキルから誘導される、前記〔１１８〕に記載の方法。
〔１２０〕前記第１のアニオン性モノマー単位が、前記第１のＰＶＯＨポリマー中に、前記第１のＰＶＯＨポリマーの約１．０モル％〜約５．０モル％、好ましくは約２モル％〜約４モル％の範囲の量で存在する、前記〔１１５〕に記載の方法。
〔１２１〕前記第１のアニオン性モノマー単位が、前記フィルム中に、前記フィルム中の全ＰＶＯＨポリマーの約０．５モル％〜約５モル％の範囲の量で存在する、前記〔１１５〕に記載の方法。
〔１２２〕前記第１のＰＶＯＨポリマーが、前記フィルム中の全ＰＶＯＨポリマーの約１０質量％〜約９０質量％の範囲の量で存在する、前記〔１１５〕に記載の方法。
〔１２３〕前記第２のＰＶＯＨポリマーが、第２のアニオン性モノマー単位を含む、前記〔１１５〕に記載の方法。
〔１２４〕前記第２のアニオン性モノマー単位が、前記第１のアニオン性モノマー単位とは異なる、前記〔１２３〕に記載の方法。
〔１２５〕前記第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、前記〔１２３〕に記載の方法。
〔１２６〕前記第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、前記〔１２３〕に記載の方法。
〔１２７〕前記第１のＰＶＯＨポリマーが、前記ＰＶＯＨブレンド中に、前記ブレンド中の全ＰＶＯＨポリマーの約５０質量％〜約９０質量％の範囲で存在し、
前記第１のアニオン性モノマー単位が、マレイン酸モノメチル、そのアルカリ金属塩、及びこれらの組み合わせからなる群から選択されるメンバーから誘導され、
前記第２のＰＶＯＨポリマーが、前記ＰＶＯＨブレンド中に、前記ブレンド中の全ＰＶＯＨポリマーの約１０質量％〜約５０質量％の範囲で存在し、前記第２のモノマー単位が、アクリルアミドメチルプロパンスルホン酸、そのアルカリ金属塩、及びこれらの組み合わせからなる群から選択されるメンバーから誘導される、前記〔１２３〕に記載の方法。
〔１２８〕前記第１のＰＶＯＨポリマーが、前記第１のアニオン性モノマー単位の第１の取り込みレベル（ａ1）を有し、前記第２のＰＶＯＨポリマーが、前記第２のアニオン性モノマー単位の第２の取り込みレベル（ａ2）を有し、前記第１及び第２のアニオン性モノマーが同じである場合、｜ａ1−ａ2｜の絶対値が０より大きい、前記〔１２３〕に記載の方法。
〔１２９〕ａ1が、前記第１のＰＶＯＨポリマーの約１モル％〜約５モル％、好ましくは約１モル％〜約３モル％の範囲であり、ａ2が、前記第２のＰＶＯＨポリマーの約１モル％〜約５モル％、好ましくは約１モル％〜約３モル％であり、｜ａ1−ａ2｜、好ましくはａ1−ａ2が、約０モル％〜約３モル％、または約１モル％〜約３モル％の範囲である、前記〔１２８〕に記載の方法。
〔１３０〕前記第２のアニオン性モノマー単位が、前記第２のＰＶＯＨポリマー中に、前記第２のＰＶＯＨポリマーの約１．０モル％〜約５．０モル％の範囲の量で存在する、前記〔１２３〕に記載の方法。
〔１３１〕前記第２のアニオン性モノマー単位が、前記フィルム中に、前記フィルム中の全ＰＶＯＨポリマーの約０．２モル％〜約４．５モル％の範囲の量で存在する、前記〔１２３〕に記載の方法。
〔１３２〕前記第１のアニオン性モノマー単位及び前記第２のアニオン性モノマー単位が共に、前記フィルム中の全ＰＶＯＨポリマーの約２．０モル％〜約３．５モル％の範囲の合計量で存在する、前記〔１２３〕に記載の方法。
〔１３３〕前記第２のＰＶＯＨポリマーが、前記フィルム中の全ＰＶＯＨポリマーの約１０質量％〜約９０質量％の範囲の量で存在する、前記〔１１５〕に記載の方法。
〔１３４〕前記第２のＰＶＯＨポリマーが、ＰＶＯＨホモポリマーである、前記〔１１５〕に記載の方法。
〔１３５〕前記第１のＰＶＯＨポリマーが、前記ＰＶＯＨブレンド中に、前記ブレンド中の全ＰＶＯＨポリマーの約２０質量％〜約６０質量％、好ましくは約３０質量％〜約４０質量％の範囲で存在し、
前記第１のＰＶＯＨポリマーの前記第１のアニオン性モノマー単位が、マレイン酸モノメチル、そのアルカリ金属塩、及びこれらの組み合わせからなる群から選択されるメンバーから誘導され、
前記ＰＶＯＨホモポリマーが、約１０ｃＰ〜約３０ｃＰの約２０℃での４％溶液粘度（μ2）を特徴とし、前記ＰＶＯＨ樹脂ブレンド中に、前記ブレンド中の全ＰＶＯＨポリマーの約４０質量％〜約８０質量％、好ましくは約６０質量％〜約７０質量％の範囲で存在する、前記〔１３４〕に記載の方法。
〔１３６〕前記第２のＰＶＯＨポリマーが、約１０ｃＰ〜約４０ｃＰ、または約１０ｃＰ〜約３０ｃＰ、または約１２ｃＰ〜約２５ｃＰの２０℃での４％溶液粘度（μ2）を特徴とする、前記〔１１５〕に記載の方法。
〔１３７〕前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、前記〔１１５〕に記載の方法。
〔１３８〕前記第１のＰＶＯＨポリマーが、２０℃での第１の４％溶液粘度（μ1）を特徴とし、前記第２のＰＶＯＨポリマーが、２０℃での第２の４％溶液粘度（μ2）を特徴とし、前記第１のＰＶＯＨポリマー及び前記第２のＰＶＯＨポリマーについての絶対粘度差｜μ2−μ1｜が、０ｃｐ〜約１０ｃＰの範囲である、前記〔１１５〕に記載の方法。
〔１３９〕前記ＰＶＯＨ樹脂ブレンドが、前記水溶性フィルム中に、前記フィルムの約３０質量％〜約９５質量％の範囲の量で存在する、前記〔１１５〕に記載の方法。
〔１４０〕前記水溶性フィルムが、以下の特徴：
ａ）溶解チャンバー試験によって測定される約４８質量％以下の残留物値、
ｂ）引張強度試験によって測定される少なくとも約２０ＭＰａの平均引張強度値、及び／または
ｃ）モジュラス試験によって測定される少なくとも約１０Ｎ／ｍｍ2のモジュラス値のうちの少なくとも１つ、または少なくとも２つ、または３つすべてを有する、前記〔１１５〕に記載の方法。
〔１４１〕前記水溶性フィルムが、好ましくはＰＶＯＨポリマー以外のポリマーである、少なくとも第３の水溶性ポリマーをさらに含む、前記〔１１５〕に記載の方法。
〔１４２〕前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、前記〔１４１〕に記載の方法。
〔１４３〕前記水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、前記〔１１５〕に記載の方法。
〔１４４〕前記水溶性フィルムが、１つ以上の可塑剤を、前記フィルムの約１質量％〜約４０質量％の範囲の量でさらに含む、前記〔１１５〕に記載の方法。
〔１４５〕パウチの形態の、前記パウチが、任意で少なくとも２つの区画、または少なくとも３つの区画を含む、前記〔１１５〕に記載の方法。
〔１４６〕前記香料が、前記香料の約１５質量％〜約６０質量％の、象限Ｉ香料成分、象限ＩＩ香料成分、象限ＩＩＩ香料成分、及びこれらの組み合わせから選択される非持続性香料成分を含む、前記〔１１５〕に記載の方法。
〔１４７〕前記香料が、前記香料の約２質量％〜約１５質量％の象限Ｉ香料成分を含む、前記〔１１５〕に記載の方法。
〔１４８〕前記香料が：
ａ）香料アコードの約２質量％〜約１５質量％、好ましくは約３質量％〜約１２質量％、より好ましくは約４質量％〜約１０質量％の象限Ｉ香料成分と、
ｂ）約２．５質量％〜約２５質量％、好ましくは約３質量％〜約２０質量％、より好ましくは約５質量％〜約１５質量％の象限ＩＩ香料成分と、
ｃ）約１０質量％〜約５０質量％、好ましくは約１５質量％〜約４５質量％、より好ましくは約２０質量％〜約４０質量％の象限ＩＩＩ香料成分と、
ｄ）約４０質量％〜約８５質量％、好ましくは約４５質量％〜約７５質量％、より好ましくは約４０質量％〜約６５質量％の象限ＩＶ香料成分と、を含む、前記〔１１５〕に記載の方法。
〔１４９〕前記香料の少なくとも一部分が、コア−シェルカプセル化物にカプセル化される、前記〔１１５〕に記載の方法。
〔１５０〕前記有機溶媒が、モノアルコール、ポリオール、グリコール、及びこれらの組み合わせからなる群から選択される、前記〔１１５〕に記載の方法。
〔１５１〕前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、前記〔１１５〕に記載の方法。
〔１５２〕前記有機溶媒が、全有機溶媒の少なくとも約１０質量％、または少なくとも約２０質量％の、２５０℃を超える沸点を有する有機溶媒を含み、前記香料が、全香料の少なくとも約１０質量％、または少なくとも約２０質量％、または少なくとも約３０質量％の、２５０℃未満の沸点を有する香料原材料を含む、前記〔１１５〕に記載の方法。
〔１５３〕前記有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、前記香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、前記〔１１５〕に記載の方法。
〔１５４〕前記フィルムが、少なくとも１つの可塑剤をさらに含み、前記有機溶媒のうちの少なくとも１つが、前記可塑剤（「共通溶媒／可塑剤」）と同じであり、好ましくは前記共通溶媒／可塑剤が、グリセロール、ソルビトール、ジプロピレングリコール、１，２−プロパンジオール、１，３−プロパンジオール、及びこれらの組み合わせから選択される、前記〔１１５〕に記載の方法。
〔１５５〕前記組成物が、前記組成物の約５質量％〜約７０質量％の界面活性剤を含む、前記〔１１５〕に記載の方法。
〔１５６〕前記組成物が、布地ケア組成物である、前記〔１１５〕に記載の方法。
〔１５７〕容器を開ける際に心地よい香り体験を提供するための水溶性フィルムの使用であって、前記水溶性フィルムが、パウチを形成し、区画に香料と有機溶媒とを含む組成物を少なくとも部分的に封入し、前記水溶性フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、使用。
〔１５８〕容器システムであって、
内部空間を画定する壁を有する密閉可能な容器と、
前記内部空間中の少なくとも１つのパウチと、を備え、前記パウチが、水溶性フィルムと、前記水溶性フィルムによって区画に少なくとも部分的に封入された非家庭用ケア組成物とを含み、
前記非家庭用ケア組成物が、前記非家庭用ケア組成物の約０．１質量％〜約１０質量％の香料と、前記非家庭用ケア組成物の約１質量％〜約５０質量％の有機溶媒とを含み、
前記フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、容器システム。
〔１５９〕前記第１のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、前記〔１５８〕に記載の容器システム。
〔１６０〕前記第１のアニオン性モノマー単位が、カルボキシル化アニオン性モノマー単位から誘導される、前記〔１５９〕に記載の容器システム。
〔１６１〕前記第１のアニオン性モノマー単位が、マレイン酸、マレイン酸モノアルキル、マレイン酸ジアルキル、無水マレイン酸、及びこれらの組み合わせからなる群から選択されるメンバーから誘導される、前記〔１６０〕に記載の容器システム。
〔１６２〕前記第１のアニオン性モノマー単位が、マレイン酸モノメチル、その塩、及びこれらの組み合わせからなる群から選択されるマレイン酸モノアルキルから誘導される、前記〔１６１〕に記載の容器システム。
〔１６３〕前記第１のアニオン性モノマー単位が、前記第１のＰＶＯＨポリマー中に、前記第１のＰＶＯＨポリマーの約１．０モル％〜約５．０モル％、好ましくは約２モル％〜約４モル％の範囲の量で存在する、前記〔１５８〕に記載の容器システム。
〔１６４〕前記第１のアニオン性モノマー単位が、前記フィルム中に、前記フィルム中の全ＰＶＯＨポリマーの約０．５モル％〜約５モル％の範囲の量で存在する、前記〔１５８〕に記載の容器システム。
〔１６５〕前記第１のＰＶＯＨポリマーが、前記フィルム中の全ＰＶＯＨポリマーの約１０質量％〜約９０質量％の範囲の量で存在する、前記〔１５８〕に記載の容器システム。
〔１６６〕前記第２のＰＶＯＨポリマーが、第２のアニオン性モノマー単位を含む、前記〔１５８〕に記載の容器システム。
〔１６７〕前記第２のアニオン性モノマー単位が、前記第１のアニオン性モノマー単位とは異なる、前記〔１６６〕に記載の容器システム。
〔１６８〕前記第２のアニオン性モノマー単位が、ビニル酢酸、マレイン酸、マレイン酸モノアルキル、マレイン酸ジアルキル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、ビニルスルホン酸、アリルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、アクリル酸２−スルホエチル、前述の塩、好ましくは前述のアルカリ金属塩、前述のエステル、及びこれらの組み合わせからなる群から選択されるメンバーから誘導される、前記〔１６６〕に記載の容器システム。
〔１６９〕前記第２のアニオン性モノマー単位が、スルホン化アニオン性モノマー単位から誘導され、好ましくはアクリルアミドメチルプロパンスルホン酸、その塩、及びこれらの組み合わせからなる群から選択されるメンバーから誘導される、前記〔１６６〕に記載の容器システム。
〔１７０〕前記第１のＰＶＯＨポリマーが、前記ＰＶＯＨブレンド中に、前記ブレンド中の全ＰＶＯＨポリマーの約５０質量％〜約９０質量％の範囲で存在し、
前記第１のアニオン性モノマー単位が、マレイン酸モノメチル、そのアルカリ金属塩、及びこれらの組み合わせからなる群から選択されるメンバーから誘導され、
前記第２のＰＶＯＨポリマーが、前記ＰＶＯＨブレンド中に、前記ブレンド中の全ＰＶＯＨポリマーの約１０質量％〜約５０質量％の範囲で存在し、前記第２のモノマー単位が、アクリルアミドメチルプロパンスルホン酸、そのアルカリ金属塩、及びこれらの組み合わせからなる群から選択されるメンバーから誘導される、前記〔１６６〕に記載の容器システム。
〔１７１〕前記第１のＰＶＯＨポリマーが、前記第１のアニオン性モノマー単位の第１の取り込みレベル（ａ1）を有し、前記第２のＰＶＯＨポリマーが、前記第２のアニオン性モノマー単位の第２の取り込みレベル（ａ2）を有し、前記第１及び第２のアニオン性モノマーが同じである場合、｜ａ1−ａ2｜の絶対値が０より大きい、前記〔１６６〕に記載の容器システム。
〔１７２〕ａ1が、前記第１のＰＶＯＨポリマーの約１モル％〜約５モル％、好ましくは約１モル％〜約３モル％の範囲であり、ａ2が、前記第２のＰＶＯＨポリマーの約１モル％〜約５モル％、好ましくは約１モル％〜約３モル％であり、｜ａ1−ａ2｜、好ましくはａ1−ａ2が、約０モル％〜約３モル％、または約１モル％〜約３モル％の範囲である、前記〔１７１〕に記載の容器システム。
〔１７３〕前記第２のアニオン性モノマー単位が、前記第２のＰＶＯＨポリマー中に、前記第２のＰＶＯＨポリマーの約１．０モル％〜約５．０モル％の範囲の量で存在する、前記〔１６６〕に記載の容器システム。
〔１７４〕前記第２のアニオン性モノマー単位が、前記フィルム中に、前記フィルム中の全ＰＶＯＨポリマーの約０．２モル％〜約４．５モル％の範囲の量で存在する、前記〔１６６〕に記載の容器システム。
〔１７５〕前記第１のアニオン性モノマー単位及び前記第２のアニオン性モノマー単位が共に、前記フィルム中の全ＰＶＯＨポリマーの約２．０モル％〜約３．５モル％の範囲の合計量で存在する、前記〔１６６〕に記載の容器システム。
〔１７６〕前記第２のＰＶＯＨポリマーが、前記フィルム中の全ＰＶＯＨポリマーの約１０質量％〜約９０質量％の範囲の量で存在する、前記〔１５８〕に記載の容器システム。
〔１７７〕前記第２のＰＶＯＨポリマーが、ＰＶＯＨホモポリマーである、前記〔１５８〕に記載の容器システム。
〔１７８〕前記第１のＰＶＯＨポリマーが、前記ＰＶＯＨブレンド中に、前記ブレンド中の全ＰＶＯＨポリマーの約２０質量％〜約６０質量％、好ましくは約３０質量％〜約４０質量％の範囲で存在し、
前記第１のＰＶＯＨポリマーの前記第１のアニオン性モノマー単位が、マレイン酸モノメチル、そのアルカリ金属塩、及びこれらの組み合わせからなる群から選択されるメンバーから誘導され、
前記ＰＶＯＨホモポリマーが、約１０ｃＰ〜約３０ｃＰの約２０℃での４％溶液粘度（μ2）を特徴とし、前記ＰＶＯＨ樹脂ブレンド中に、前記ブレンド中の全ＰＶＯＨポリマーの約４０質量％〜約８０質量％、好ましくは約６０質量％〜約７０質量％の範囲で存在する、前記〔１７７〕に記載の容器システム。
〔１７９〕前記第２のＰＶＯＨポリマーが、約３．０〜約４０ｃＰ、または約７〜約４０ｃＰ、または約１０ｃＰ〜約４０ｃＰ、または約１０ｃＰ〜約３０ｃＰ、または約１２ｃＰ〜約２５ｃＰの２０℃での４％溶液粘度（μ2）を特徴とする、前記〔１５８〕に記載の容器システム。
〔１８０〕前記第２のＰＶＯＨポリマーが、約６０％〜約９９％、好ましくは約８０％〜約９８％、好ましくは約８５％〜約９５％、好ましくは約８７％〜約９２％の加水分解度を特徴とする、前記〔１５８〕に記載の容器システム。
〔１８１〕前記第１のＰＶＯＨポリマーが、２０℃での第１の４％溶液粘度（μ1）を特徴とし、前記第２のＰＶＯＨポリマーが、２０℃での第２の４％溶液粘度（μ2）を特徴とし、前記第１のＰＶＯＨポリマー及び前記第２のＰＶＯＨポリマーについての絶対粘度差｜μ2−μ1｜が、０ｃｐ〜約１０ｃＰの範囲である、前記〔１５８〕に記載の容器システム。
〔１８２〕前記ＰＶＯＨ樹脂ブレンドが、前記水溶性フィルム中に、前記フィルムの約３０質量％〜約９５質量％の範囲の量で存在する、前記〔１５８〕に記載の容器システム。
〔１８３〕前記水溶性フィルムが、以下の特徴：
ａ）溶解チャンバー試験によって測定される約４８質量％以下の残留物値、
ｂ）引張強度試験によって測定される少なくとも約２０ＭＰａの平均引張強度値、及び／または
ｃ）モジュラス試験によって測定される少なくとも約１０Ｎ／ｍｍ2のモジュラス値のうちの少なくとも１つ、または少なくとも２つ、または３つすべてを有する、前記〔１５８〕に記載の容器システム。
〔１８４〕前記水溶性フィルムが、好ましくはＰＶＯＨポリマー以外のポリマーである、少なくとも第３の水溶性ポリマーをさらに含む、前記〔１５８〕に記載の容器システム。
〔１８５〕前記第３の水溶性ポリマーが、ポリエチレンイミン、ポリビニルピロリドン、ポリアルキレンオキシド、ポリアクリルアミド、セルロースエーテル、セルロースエステル、セルロースアミド、ポリ酢酸ビニル、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、デンプン、加工デンプン、グアーガム、アカシアガム、キサンタンガム、カラギーナン、ポリアクリレート及びその塩、これらのコポリマー、これらのブレンド、ならびにこれらの組み合わせからなる群から選択される、前記〔１８４〕に記載の容器システム。
〔１８６〕前記水溶性フィルムが、可塑剤、可塑剤相溶化剤、滑剤、離型剤、充填剤、増量剤、架橋剤、ブロッキング防止剤、酸化防止剤、脱粘着剤、消泡剤、ナノ粒子、漂白剤、界面活性剤、及びこれらの組み合わせからなる群から選択される、１つ以上の成分をさらに含む、前記〔１５８〕に記載の容器システム。
〔１８７〕前記水溶性フィルムが、１つ以上の可塑剤を、前記フィルムの約１質量％〜約４０質量％の範囲の量でさらに含む、前記〔１５８〕に記載の容器システム。
〔１８８〕前記パウチが、少なくとも２つの区画、または少なくとも３つの区画を含む、前記〔１５８〕に記載の容器システム。
〔１８９〕前記香料が、前記香料の約１５質量％〜約６０質量％の、象限Ｉ香料成分、象限ＩＩ香料成分、象限ＩＩＩ香料成分、及びこれらの組み合わせから選択される非持続性香料成分を含む、前記〔１５８〕に記載の容器システム。
〔１９０〕前記香料が、前記香料の約２質量％〜約１５質量％の象限Ｉ香料成分を含む、前記〔１５８〕に記載の容器システム。
〔１９１〕前記香料が：
ａ）香料アコードの約２質量％〜約１５質量％、好ましくは約３質量％〜約１２質量％、より好ましくは約４質量％〜約１０質量％の象限Ｉ香料成分と、
ｂ）約２．５質量％〜約２５質量％、好ましくは約３質量％〜約２０質量％、より好ましくは約５質量％〜約１５質量％の象限ＩＩ香料成分と、
ｃ）約１０質量％〜約５０質量％、好ましくは約１５質量％〜約４５質量％、より好ましくは約２０質量％〜約４０質量％の象限ＩＩＩ香料成分と、
ｄ）約４０質量％〜約８５質量％、好ましくは約４５質量％〜約７５質量％、より好ましくは約４０質量％〜約６５質量％の象限ＩＶ香料成分と、を含む、前記〔１５８〕に記載の容器システム。
〔１９２〕前記香料の一部分が、コア−シェルカプセル化物にカプセル化される、前記〔１５８〕に記載の容器システム。
〔１９３〕前記有機溶媒が、モノアルコール、ポリオール、グリコール、及びこれらの組み合わせからなる群から選択される、前記〔１５８〕に記載の容器システム。
〔１９４〕前記有機溶媒が、グリセロール、１，２−プロパンジオール、１，３−プロパンジオール、ジプロピレングリコール、ジエチレングリコール、ポリアルキレングリコール、ソルビトール、及びこれらの混合物からなる群から選択される、前記〔１５８〕に記載の容器システム。
〔１９５〕前記有機溶媒が、全有機溶媒の少なくとも約１０質量％、または少なくとも約２０質量％の、２５０℃を超える沸点を有する有機溶媒を含み、前記香料が、全香料の少なくとも約１０質量％、または少なくとも約２０質量％、または少なくとも約３０質量％の、２５０℃未満の沸点を有する香料原材料を含む、前記〔１５８〕に記載の容器システム。
〔１９６〕前記有機溶媒が、全有機溶媒の少なくとも約５０質量％、または少なくとも約８０質量％、または少なくとも約９０質量％、またはさらに少なくとも約９５質量％の、０未満のｃＬｏｇＰ値を有する有機溶媒を含み、前記香料が、全香料の少なくとも約５０質量％、または少なくとも約８０質量％、または少なくとも約９０質量％、またはさらに少なくとも約９５質量％の、０より大きいｃＬｏｇＰ値を有する香料原材料を含む、前記〔１５８〕に記載の容器システム。
〔１９７〕前記フィルムが、少なくとも１つの可塑剤をさらに含み、前記有機溶媒のうちの少なくとも１つが、前記可塑剤（「共通溶媒／可塑剤」）と同じであり、好ましくは前記共通溶媒／可塑剤が、グリセロール、ソルビトール、ジプロピレングリコール、１，２−プロパンジオール、１，３−プロパンジオール、及びこれらの組み合わせから選択される、前記〔１５８〕に記載の容器システム。
〔１９８〕前記非家庭用ケア組成物が、前記組成物の約５質量％〜約７０質量％の界面活性剤を含む、前記〔１５８〕に記載の容器システム。
〔１９９〕前記非家庭用ケア組成物が、１つ以上の農業用組成物、自動車用組成物、航空用組成物、食品及び栄養組成物、工業用組成物、家畜用組成物、海洋用組成物、医療用組成物、商業用組成物、軍事及び準軍事用組成物、オフィス組成物、レクリエーション用及び公園用組成物、ならびにペット組成物から選択され、任意で洗浄組成物及び洗剤組成物を含む、前記〔１５８〕に記載の容器システム。
〔２００〕前記密閉可能な容器が、再密閉可能である、前記〔１５８〕に記載の容器システム。
〔２０１〕前記密閉可能な容器が、軟性バッグ及び剛性タブから選択される、前記〔１５８〕に記載の容器システム。
〔２０２〕基材の処理方法であって、
密閉容器を開封するステップと、
前記容器の内部空間に収容されたパウチにアクセスするステップであって、前記パウチが、水溶性フィルムと、前記水溶性フィルムによって区画に少なくとも部分的に封入された非家庭用ケア組成物とを含み、
前記非家庭用ケア組成物が、前記非家庭用ケア組成物の約０．１質量％〜約１０質量％の香料と、前記非家庭用ケア組成物の約１質量％〜約５０質量％の有機溶媒とを含み、
前記フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、ステップと、
前記水溶性フィルムの少なくとも一部分が溶解し、それによって前記非家庭用ケア組成物の少なくとも一部分を放出させるように、前記パウチを水と組み合わせるステップと、
処理すべき基材を前記非家庭用ケア組成物と接触させるステップと、を含む、方法。
〔２０３〕容器を開封する際に心地よい香り体験を提供するための水溶性フィルムの使用であって、前記水溶性フィルムが、パウチを形成し、区画に香料と有機溶媒とを含む非家庭用ケア組成物を少なくとも部分的に封入し、前記水溶性フィルムが、ポリビニルアルコール（ＰＶＯＨ）樹脂ブレンドを含み、
前記ＰＶＯＨ樹脂ブレンドが、第１のアニオン性モノマー単位と、ビニルアルコールモノマー単位と、任意で酢酸ビニル単位とを含む第１のＰＶＯＨポリマーを含み、
前記ＰＶＯＨ樹脂ブレンドが：
ａ）第２のアニオン性モノマー単位と、ビニルアルコールモノマー単位と、任意で酢酸ビニル単位とを含むＰＶＯＨポリマー、または
ｂ）本質的にビニルアルコールモノマー単位と任意で酢酸ビニル単位とからなるＰＶＯＨホモポリマーからなる群から選択される第２のＰＶＯＨポリマーをさらに含む、使用。